【手続補正書】
【提出日】令和2年12月1日(2020.12.1)
【手続補正１】
【補正対象書類名】特許請求の範囲
【補正対象項目名】全文
【補正方法】変更
【補正の内容】
【特許請求の範囲】
【請求項１】
患者の体内に挿入され、前記体内を撮像する撮像デバイスにより観察対象が撮像された医療用撮像画像のＲＡＷ画像データを、圧縮符号化する符号化処理部と、
圧縮符号化された前記ＲＡＷ画像データを、無線で送信する送信部と、
を備える、医療用内視鏡装置。
【請求項２】
符号化処理部は、前記ＲＡＷ画像データを、複数の異なる圧縮率で圧縮符号化し、
前記送信部は、複数の圧縮率で圧縮符号化された前記ＲＡＷ画像データのうち、無線の伝送状態に対応する圧縮符号化された前記ＲＡＷ画像データを、送信する、請求項１に記載の医療用内視鏡装置。
【請求項３】
前記送信部は、圧縮符号化された前記ＲＡＷ画像データを、異なる周波数で送信する、請求項１に記載の医療用内視鏡装置。
【請求項４】
前記送信部は、圧縮符号化された前記ＲＡＷ画像データを、異なる周波数で同時に送信する、請求項３に記載の医療用内視鏡装置。
【請求項５】
前記送信部は、圧縮符号化された前記ＲＡＷ画像データを、複数の周波数のうちのいずれか１つの周波数で送信する、請求項３に記載の医療用内視鏡装置。
【請求項６】
前記送信部は、圧縮符号化された前記ＲＡＷ画像データを、無線の伝送状態に対応する周波数で送信する、請求項５に記載の医療用内視鏡装置。
【請求項７】
前記送信部は、圧縮符号化された前記ＲＡＷ画像データを、所定の医療機器の動作状態に対応する周波数で送信する、請求項５または６に記載の医療用内視鏡装置。
【請求項８】
符号化処理部は、前記撮像デバイスにおける電子ズームの状態に対応する圧縮率で圧縮符号化する、請求項１〜７のいずれか１つに記載の医療用内視鏡装置。
【請求項９】
符号化処理部は、右目用の医療用撮像画像の第１ＲＡＷ画像データと、左目用の医療用撮像画像の第２ＲＡＷ画像データとをそれぞれ圧縮符号化し、
前記送信部は、圧縮符号化された前記第１ＲＡＷ画像データと、圧縮符号化された前記第２ＲＡＷ画像データとを、それぞれ無線で送信する、請求項１に記載の医療用内視鏡装置。
【請求項１０】
前記送信部は、無線の伝送状態に基づいて、圧縮符号化された前記第１ＲＡＷ画像データ、または、圧縮符号化された前記第２ＲＡＷ画像データの送信を停止する、請求項９に記載の医療用内視鏡装置。
【請求項１１】
前記送信部は、付加情報をさらに送信する、請求項１〜１０のいずれか１つに記載の医療用内視鏡装置。
【請求項１２】
符号化処理部は、無線の伝送状態に基づいて、前記ＲＡＷ画像データの圧縮符号化の仕方を変える、請求項１に記載の医療用内視鏡装置。
【請求項１３】
前記送信部は、圧縮符号化された前記ＲＡＷ画像データを、さらに有線で送信する、請求項１〜１２のいずれか１つに記載の医療用内視鏡装置。
【請求項１４】
符号化処理部は、前記ＲＡＷ画像データを、前記医療用撮像画像より小さな所定の単位ごとに圧縮符号化し、
前記送信部は、前記所定の単位ごとに圧縮符号化された前記ＲＡＷ画像データを送信する、請求項１〜１３のいずれか１つに記載の医療用内視鏡装置。
【請求項１５】
前記符号化処理部は、前記ＲＡＷ画像データをデモザイク処理して圧縮符号化しない、請求項１〜１４のいずれか１つに記載の医療用内視鏡装置。
【請求項１６】
患者の体内に挿入され、前記体内を撮像する撮像デバイスにより観察対象が撮像された医療用撮像画像のＲＡＷ画像データが圧縮符号化された、前記ＲＡＷ画像データを、無線で受信する受信部と、
受信された圧縮符号化された前記ＲＡＷ画像データを処理する信号処理部と、
を備える、医療用受信装置。
【請求項１７】
前記信号処理部は、前記受信部で受信された圧縮符号化された前記ＲＡＷ画像データ、または、外部のアンテナで受信された圧縮符号化された前記ＲＡＷ画像データを、処理する、請求項１６に記載の医療用受信装置。
【請求項１８】
患者の体内に挿入され、前記体内を撮像する撮像デバイスにより観察対象が撮像された医療用撮像画像のＲＡＷ画像データを、圧縮符号化する符号化処理部と、
圧縮符号化された前記ＲＡＷ画像データを、無線で送信する送信部と、
を備える、医療用内視鏡装置と、
圧縮符号化された前記ＲＡＷ画像データを、無線で受信する受信部と、
受信された圧縮符号化された前記ＲＡＷ画像データを処理する信号処理部と、
を備える、医療用受信装置と、
を有する、医療用観察システム。
【請求項１９】
前記医療用内視鏡装置の前記符号化処理部は、前記ＲＡＷ画像データをデモザイク処理して圧縮符号化せず、
前記医療用受信装置の前記信号処理部は、前記受信部で受信された圧縮符号化された前記ＲＡＷ画像データ、または、外部のアンテナで受信された圧縮符号化された前記ＲＡＷ画像データを、デモザイク処理する、請求項１８に記載の医療用観察システム。
【手続補正２】
【補正対象書類名】明細書
【補正対象項目名】００１８
【補正方法】変更
【補正の内容】
【００１８】
また、本実施形態に係る医療用観察システムは、１つの医療用受信装置２００に対して、複数の医療用内視鏡装置１００が対応付けられる構成であってもよい。複数の医療用内視鏡装置１００が１つの医療用受信装置２００に対応付けられている場合、医療用受信装置２００では、例えば切り替え操作などが行われることによって、どの医療用内視鏡装置１００と無線で伝送を行うのかが、切り替えられる。
【手続補正３】
【補正対象書類名】明細書
【補正対象項目名】００３６
【補正方法】変更
【補正の内容】
【００３６】
医療用内視鏡装置１００は、例えばカメラヘッド１０４と送信器とを備えることによって、内視鏡の機能と、少なくとも無線で信号を送信する機能とを有する。
【手続補正４】
【補正対象書類名】明細書
【補正対象項目名】００４６
【補正方法】変更
【補正の内容】
【００４６】
図２は、医療用撮像画像を示す画像データが圧縮符号化されない場合における、画像データの伝送の一例を示す説明図である。また、図３は、医療用撮像画像を示す画像データが圧縮符号化される場合における、画像データの伝送の一例を示す説明図である。図２、図３では、撮像デバイスを構成するイメージセンサを「センサ」と示している。また、図２、図３では、送信器を「ＴＸ」と示し、受信器を「ＲＸ」と示している。
【手続補正５】
【補正対象書類名】明細書
【補正対象項目名】００９６
【補正方法】変更
【補正の内容】
【００９６】
具体例を挙げると、符号化処理回路１１２は、無線伝送のプロトコル（例えば、ｐｉｎｇコマンドの送信およびｐｉｎｇコマンドに対応する応答など）を利用して伝送量（伝送スピード）を取得し、当該伝送量に対応する伝送状態を特定する。そして、符号化処理回路１１２は、特定された無線の伝送状態に応じた圧縮符号化の仕方によって、ＲＡＷ画像データを圧縮符号化する。伝送量に対応する伝送状態は、例えば、記録媒体（図示せず）に記憶されている“伝送量と圧縮率とが対応付けられているテーブル（または、データベース）”を参照することによって、決定する。なお、符号化処理回路１１２は、例えば、伝送量によって伝送状態を決定することが可能な、任意のアルゴリズムの演算を行うことによって、伝送量に対応する伝送状態を特定してもよい。
【手続補正６】
【補正対象書類名】明細書
【補正対象項目名】０１１１
【補正方法】変更
【補正の内容】
【０１１１】
例えば、符号化処理回路１１２により複数の圧縮率で圧縮符号化されたＲＡＷ画像データのうちの、無線の伝送状態に対応する圧縮符号化されたＲＡＷ画像データのみが、符号化処理回路１１２から伝達される場合、送信器１１４は、符号化処理回路１１２から伝達される圧縮符号化されたＲＡＷ画像データを、無線で送信する。
【手続補正７】
【補正対象書類名】明細書
【補正対象項目名】０１２８
【補正方法】変更
【補正の内容】
【０１２８】
例えば、第１の実施形態に係る医療用内視鏡装置１００では、送信器１１４が、カメラヘッド１０４とは別体に設けられていてもよい。送信器１１４が、カメラヘッド１０４などの他の構成要素とは別体に設けられることにより、送信器１１４の交換（いわゆるリプレース）がより容易に可能となる。よって、送信器１１４が他の構成要素とは別体に設けられることにより、医療用内視鏡装置１００は、例えば、通信の信頼性や、通信距離、伝送容量（通信速度）、エラー訂正方法、通信方式などを、より柔軟に変更することができる。つまり、医療用内視鏡装置１００が、送信器１１４を交換することが可能な構成をとることによって、例えば通信に係るハードウェアのバージョンアップが容易となるので、医療用内視鏡装置１００は、通信の進化に対してより柔軟に対応することができる。